(57)【要約】【課題】太陽電池モジュールの発電効率の低下を回復できる電力制御装置を提供する。【解決手段】電力制御装置（３０）は、フレームが接地している両面電極型の太陽電池モジュール（１０）および系統電力網（２）に接続されており、前記太陽電池モジュールにおける起電圧が所定の電圧を下回る場合、前記太陽電池モジュールの出力電圧の負極側を入力する負極側入力端子（１３２）の対地電位を正とするための制御信号を生成する。【選択図】図１
2019122092.tif 000002
【特許請求の範囲】
【請求項１】
フレームが接地している両面電極型の太陽電池モジュールおよび外部の系統電力網に接続され、当該太陽電池モジュールを含む太陽光発電システムにおける電力の入出力を制御する電力制御装置であって、
前記太陽電池モジュールの出力電圧の正極側を入力する正極側入力端子と負極側を入力する負極側入力端子とを有し、
前記太陽電池モジュールにおける起電圧が所定の電圧を下回る場合、前記負極側入力端子の対地電位を正とするための制御信号を生成することを特徴とする電力制御装置。
【請求項２】
前記電力制御装置の制御にしたがって、電力の蓄電および放電を行う蓄電装置がさらに接続されており、
前記制御信号は、前記蓄電装置における電力の蓄電および放電のいずれかを実行させる第１の制御信号と、前記蓄電装置と前記系統電力網との間で生じた電圧のうち、対地電位が正である電圧を前記負極側入力端子に印加するように前記電力制御装置が前記系統電力網に対して順変換動作および逆変換動作のいずれかを実行させる第２の制御信号と、を含んでいることを特徴とする請求項１に記載の電力制御装置。
【請求項３】
前記太陽電池モジュールの出力電圧を入力とする非絶縁型の昇圧回路と、当該昇圧回路の出力を入力として前記系統電力網に対して順変換動作および逆変換動作のいずれかを実行する双方向インバータ回路と、を備えていることを特徴とする請求項１または２に記載の電力制御装置。
【請求項４】
前記蓄電装置の出力電圧を入力として前記第１の制御信号により動作する双方向ＤＣ／ＤＣコンバータと、前記太陽電池モジュールの出力電圧を入力とする非絶縁型の昇圧回路と、前記第２の制御信号により動作する双方向インバータ回路と、を備えており、
前記昇圧回路および前記双方向ＤＣ／ＤＣコンバータの出力端は並列接続され、前記双方向インバータ回路は、並列接続された前記出力端を直流入力とすることを特徴とする請求項２に記載の電力制御装置。
【請求項５】
前記昇圧回路は正極側の入力端子と出力端子との間が、直流的かつ双方向に短絡状態となる回路構成であることを特徴とする請求項３または４に記載の電力制御装置。
【請求項６】
前記太陽電池モジュールにおいて発電が行われない時間帯に関する情報に基づいて前記制御信号を生成することを特徴とする請求項１から５のいずれか１項に記載の電力制御装置。
【請求項７】
前記太陽電池モジュールの発電効率が回復するために必要な時間の間、前記負極側入力端子の対地電位が正となるように前記制御信号を生成することを特徴とする請求項１から６のいずれか１項に記載の電力制御装置。
【請求項８】
前記太陽電池モジュールの出力電圧を入力とする非絶縁型の昇圧回路と、当該昇圧回路の出力の正極と負極との間に接続され、前記制御信号によって接続の有無を切り替え可能な切替負荷をさらに備えており、
前記系統電力網に対して、連系保護による解列を必要としない場合は、前記切替負荷を接続するための第３の制御信号と、前記系統電力網との接続を継続するための第４の制御信号と、を生成することを特徴とする請求項１に記載の電力制御装置。
【請求項９】
前記電力制御装置の制御にしたがって、電力の蓄電および放電を行う蓄電装置がさらに接続されていることを特徴とする請求項８に記載の電力制御装置。
【請求項１０】
前記系統電力網に対して、連系保護による解列を必要としない場合は、前記第４の制御信号によって前記系統電力網との接続を継続し、さらに、前記蓄電装置における電力の蓄電および放電のいずれかを実行させる第１の制御信号と、前記蓄電装置と前記系統電力網との間で生じた電圧のうち、対地電位が正である電圧を前記負極側入力端子に印加するように前記電力制御装置が前記系統電力網に対して順変換動作および逆変換動作のいずれかを実行させる第２の制御信号によって前記蓄電装置に電力の蓄電を実行させるようにして前記太陽電池モジュールの負極側の対地電位が正となるようにすることを特徴とする請求項９に記載の電力制御装置。
【請求項１１】
フレームが接地している両面電極型の太陽電池モジュールと、
請求項１から１０のいずれか１項に記載の電力制御装置と、を備えていることを特徴とする太陽光発電システム。
【請求項１２】
請求項１に記載の電力制御装置としてコンピュータを機能させるためのプログラム。
【発明の詳細な説明】
【技術分野】
【０００１】
本発明は、太陽光発電システムにおける太陽電池モジュールの発電効率の低下を回復できる電力制御装置、当該電力制御装置を備える太陽光発電システム、およびプログラムに関する。
【背景技術】
【０００２】
太陽電池モジュールにおいて、その発電効率が発電時間の経過に伴って低下するＰＩＤ（Ｐｏｔｅｎｔｉａｌ  Ｉｎｄｕｃｅｄ  Ｄｅｇｒａｄａｔｉｏｎ）と呼ばれる事象が知られている。そして、ＰＩＤを抑制する技術も知られている。例えば、特許文献１および２は、裏面電極型太陽電池モジュール内の発電部が接地電位よりも電位の高い状態にあることを防止することにより、発電効率の低下を抑制することができる電力制御装置および太陽光発電システムが開示されている。
【先行技術文献】
【特許文献】
【０００３】
【特許文献１】特開２０１５−５６１１７号公報（２０１５年３月２３日公開）
【特許文献２】特開２０１５−５６１１８号公報（２０１５年３月２３日公開）
【発明の概要】
【発明が解決しようとする課題】
【０００４】
しかしながら、特許文献１および２は、いずれも裏面電極型太陽電池モジュールを対象としており、従来の両面電極型太陽電池モジュールには適用できない構成であった。さらに、特許文献１および２は、太陽電池モジュールによる発電電力や系統電力網から購入した買電電力を蓄電し、必要に応じて放電する蓄電装置を備えている太陽光発電システムが想定されていないという問題があった。そして、特許文献１および２は、発電効率の低下を抑制することはできたが、一度低下した発電効率を回復させることはできなかった。
【課題を解決するための手段】
【０００５】
前記の課題を解決するために、本発明の一態様に係る電力制御装置は、フレームが接地している両面電極型の太陽電池モジュールおよび外部の系統電力網に接続され、当該太陽電池モジュールを含む太陽光発電システムにおける電力の入出力を制御する電力制御装置であって、前記太陽電池モジュールの出力電圧の正極側を入力する正極側入力端子と負極側を入力する負極側入力端子とを有し、前記太陽電池モジュールにおける起電圧が所定の電圧を下回る場合、前記負極側入力端子の対地電位を正とするための制御信号を生成する構成である。
【発明の効果】
【０００６】
本発明の一態様によれば、太陽電池モジュールの発電効率の低下を回復できる電力制御装置を提供することができるという効果を奏する。
【図面の簡単な説明】
【０００７】
【図１】本発明の実施形態１に係る太陽光発電システムの要部構成の一例を示すブロック図である。
【図２】前記太陽光発電システムで用いる太陽電池モジュールの外観を示す模式図であり、（ａ）は受光面側から見た正面図であり、（ｂ）は裏面から透視的に見た図である。
【図３】前記太陽光発電システムで用いる太陽電池モジュールの断面図である。
【図４】図３に示す太陽電池モジュールにおける発電効率の低下の原因を推測した模式図である。
【図５】前記電力制御装置の回路の構成例を示す模式図である。
【図６】本発明の実施形態２に係る電力制御装置の回路の構成例を示す模式図である。
【発明を実施するための形態】
【０００８】
〔実施形態１〕
以下、本発明の一実施形態について、図１〜図５を用いて詳細に説明する。
【０００９】
（太陽光発電システムの構成）
本実施形態に係る太陽光発電システム１の構成について、図１を用いて説明する。図１は、太陽光発電システム１の要部構成の一例を示すブロック図である。
【００１０】
太陽光発電システム１は、太陽電池モジュール１０、蓄電装置２０、および電力制御装置３０を備えており、太陽電池モジュール１０、蓄電装置２０は系統電力網２と電力制御装置３０を介して接続されている。
【００１１】
太陽光発電システム１は、フレームが接地している両面電極型の太陽電池モジュール１０にて発電した電力を電力制御装置３０にて変換し、蓄電装置２０および系統電力網２に出力することができる。太陽光発電システム１は、外部の系統電力網２と接続可能な構成であり、当該系統電力網２から電力を購入（買電）し、蓄電装置２０に蓄電することができる。さらに、太陽光発電システム１は、発電効率が低下した太陽電池モジュール１０について、電力制御装置３０を用いた制御により、発電効率を回復させることができる。
【００１２】
系統電力網２は、電力会社が管理および運用を行う外部の電力網である。太陽光発電システム１は、系統電力網２を介して電力会社から電力を購入（買電）したり電力会社に電力を売却（売電）することができる。図示の例において、系統電力網２は中点接地された単相三線の電源である。以下の説明において、図中上側、および下側の電源はそれぞれ交流１００Ｖの電源であり、電力制御装置３０へは交流２００Ｖが接続されるものとする。
【００１３】
太陽電池モジュール１０は、一般的に用いられている両面電極型太陽電池モジュールであり、具体的には受光面から受光した光によって発電した電力を当該受光面および当該受光面の裏面のそれぞれに設けられた電極より出力する。また、太陽電池モジュール１０は、接地しているフレーム（外枠）によって支持されている。図示の例において、太陽電池モジュール１０と電力制御装置３０とを接続する２つの線のうち、添字Ｐが付された上側が正極側の出力を示し、添字Ｎが付された下側が負極側の出力を示している。なお、太陽電池モジュール１０は１つのモジュールから構成されたものであってもよいし、複数のモジュールを連結したものであってもよい。太陽電池モジュール１０の具体的な構成については後述する。
【００１４】
蓄電装置２０は、電力の蓄電および放電を行うことができる。具体的には、蓄電装置２０は、電力制御装置３０を介して、太陽電池モジュール１０が発電した電力や系統電力網２を介して電力会社から購入した買電電力を蓄電することができる。また、蓄電装置２０は、自身が蓄えた電力を放電し、図示しない電気機器を駆動させたり、系統電力網２に電力を逆潮流し、売却（売電）したりすることができる。
【００１５】
電力制御装置３０は、太陽電池モジュール１０、蓄電装置２０、および系統電力網２に接続されており、太陽光発電システム１における電力の入出力を制御する。電力制御装置３０は、太陽電池モジュール１０の出力電圧の正極側を入力する正極側入力端子１３１と負極側を入力する負極側入力端子１３２とを有している。ここで、太陽電池モジュール１０の出力電圧の正極側および正極側入力端子１３１は、共通の電位を有する配線上に接続されている。
【００１６】
電力制御装置３０は、昇圧回路１０１、双方向ＰＷＭインバータ１０２、交流リアクトル１０３、双方向ＤＣ／ＤＣコンバータ１０４、切替負荷１０５、連系リレー１０６、および切替制御部１０７を備えている。
【００１７】
昇圧回路１０１は、太陽電池モジュール１０と双方向ＰＷＭインバータ１０２との間に配置され、太陽電池モジュール１０の負極側に対する電圧を昇圧する。昇圧回路１０１は、コイル、ダイオード、および昇圧比をコントロールするスイッチングパワー素子として機能するＦＥＴ（Ｆｉｅｌｄ−Ｅｆｆｅｃｔ  Ｔｒａｎｓｉｓｔｏｒ：電界効果トランジスタ）を用いた公知の回路構成のものであってもよい。図示の例において、昇圧回路１０１は、太陽電池モジュール１０の出力電圧を入力として受け付けるようになっている。また、図４を用いて後述する理由から、昇圧回路１０１は、正極側の入力端子と出力端子との間が、直流的かつ双方向に短絡状態となる回路構成である。
【００１８】
双方向ＰＷＭインバータ１０２は、昇圧回路１０１、交流リアクトル１０３、および双方向ＤＣ／ＤＣコンバータ１０４に接続されている。双方向ＰＷＭインバータ１０２は、電圧を制御することで、太陽電池モジュール１０が発電した直流電力および蓄電装置２０が放電し、後述する双方向ＤＣ／ＤＣコンバータ１０４にて変換された直流電力を交流電力に変換し、系統電力網２に逆潮流することができる。また、双方向ＰＷＭインバータ１０２は、電圧を制御することで、系統電力網２を介して電力会社から買電した交流電力を直流電力に変換し、昇圧回路１０１または双方向ＤＣ／ＤＣコンバータ１０４へ出力することができる。換言すれば、双方向ＰＷＭインバータ１０２は、系統電力網２から入力された交流電圧を順変換動作によって直流電圧に変換する。また、双方向ＰＷＭインバータ１０２は、逆変換動作によって直流電圧を交流電圧に変換して系統電力網２へ出力する。なお、順変換動作は、高力率化を達成するために昇圧作用を伴うものであってもよい。図示の例において、昇圧回路１０１および双方向ＤＣ／ＤＣコンバータ１０４は、その出力端が並列接続されており、双方向ＰＷＭインバータ１０２は、並列接続された出力端を直流入力としている。
【００１９】
交流リアクトル１０３は、双方向ＰＷＭインバータ１０２と連系リレー１０６との間に配置され、系統電力網２から入力され、連系リレー１０６を経由して受け付けた交流電力に対して高調波を抑制し、双方向ＰＷＭインバータ１０２へ出力することができる。
【００２０】
双方向ＤＣ／ＤＣコンバータ１０４は、蓄電装置２０と、昇圧回路１０１および双方向ＰＷＭインバータ１０２との間に配置されている。双方向ＤＣ／ＤＣコンバータ１０４は、蓄電装置２０の出力電力を入力として、蓄電装置２０に電力を蓄電する降圧モードと、蓄電装置２０に電力を放電させる昇圧モードの２つの動作モードを切り替えて動作する。ここで、降圧モードは、太陽電池モジュール１０にて発電した直流電力、および双方向ＰＷＭインバータ１０２によって交流電力から変換された直流電力の少なくともいずれかを、蓄電装置２０が蓄電可能となるように変調などの処理を行うモードである。一方、昇圧モードは、蓄電装置２０に放電させた直流電力を、双方向ＰＷＭインバータ１０２が交流電力に変換可能となるように変調などの処理を行うモードである。
【００２１】
切替負荷１０５は、昇圧回路１０１と双方向ＰＷＭインバータ１０２との間に配置された、オンオフを切り替え可能な負荷である。切替負荷１０５は、少なくとも太陽電池モジュール１０が発電を行っておらず、かつ後述する連系リレー１０６が通電状態であるときにオンとなり、双方向ＰＷＭインバータ１０２を介して系統電力網２から僅かでも電力消費される構成であればどのようなものであってもよい。また、切替負荷１０５は常時ＯＮである負荷としても良い。図示の例において、切替負荷１０５は、昇圧回路１０１の出力の正極と負極との間に接続されている。
【００２２】
連系リレー１０６は、交流リアクトル１０３と系統電力網２との間に設けられた切替回路であり、切替制御部１０７から受信した制御信号にしたがって、系統電力網２との接続の有無を切り替える。連系リレー１０６は、太陽光発電システム１が系統電力網２と電力のやり取りを行う場合にオンになっていればよいが、系統連系規程で要求される系統保護が必要な場合は、連系保護による解列を実行し、当該系統電力網２との接続を切断する。逆に言えば、系統電力網２を保護する必要のない場合、連系リレー１０６はオンの状態を継続し、当該系統電力網２との接続を継続してもよい。ここで、系統連系規程で要求される保護とは、系統過電圧／不足電圧、系統周波数上昇／低下、単独運転検出等である。
【００２３】
切替制御部１０７は、電力制御装置３０の各部を制御する制御信号を生成するコントローラである。具体的には、切替制御部１０７は昇圧回路１０１、双方向ＰＷＭインバータ１０２、双方向ＤＣ／ＤＣコンバータ１０４、切替負荷１０５、および連系リレー１０６の動作を制御信号によって制御する。切替制御部１０７は、制御信号によって双方向ＰＷＭインバータ１０２や双方向ＤＣ／ＤＣコンバータ１０４の動作モードを切り替えることにより、蓄電装置２０における電力の蓄電および放電を切り替えることができる。
【００２４】
（太陽電池モジュールの構成例）
本実施形態における太陽電池モジュール１０の構成例について、図２〜４を用いて説明する。図２は、太陽光発電システム１で用いる太陽電池モジュール１０の外観を示す模式図であり、（ａ）は受光面側から見た正面図であり、（ｂ）は裏面から透視的に見た図である。
【００２５】
図２の（ａ）は、太陽電池モジュール１０の正面図を示している。太陽電池モジュール１０は、周囲をフレーム１８で囲まれた複数の太陽電池セル１３から構成されている。複数の太陽電池セル１３は行列状に配置されており、さらに各太陽電池セル１３は、受光面の裏面側に設けられた第１電極が、別の太陽電池セル１３の受光面側に設けられた第２電極と接続されている。これにより、太陽電池モジュール１０に含まれるすべての太陽電池セル１３は直列に接続されている。
【００２６】
図２の（ｂ）は、太陽電池モジュール１０を裏面側の外観を示している。直列に接続されている複数の太陽電池セル１３の端部は、別の配線によって裏面側に設けられた端子ボックスへ導かれる。端子ボックスには、出力端子１７として、出力電圧の正極側の端子および負極側の端子がそれぞれ設けられている。これらの端子によって、直列に接続された複数の太陽電池セル１３において発電した電力を外部へ出力することができる。なお、太陽電池セル１３が、ｐ型シリコン基板を用いて製造されたものであるときは、第１電極が正電極であり、第２電極が負電極となる。一方、太陽電池セル１３が、ｎ型シリコン基板を用いて製造されたものであるときは逆の構成となる。
【００２７】
図３は、太陽電池モジュール１０の断面図である。図示の例において、２つの太陽電池セル１３は、インナーコネクタ１６によって一方の正極が他方の負極に接続されている。また、右側の太陽電池セル１３は、裏面側に接続された別のインナーコネクタ１６によって、第１電極バスバー１４ａおよび第２電極バスバー１４ｂに接続されている。太陽電池セル１３は、第１封止樹脂１１ａ、第２封止樹脂１１ｂによって、カバーガラス１９と裏面保護シート１５との間で固定されている。なお、第２封止樹脂１１ｂと太陽電池セル１３との間には、図示しない反射防止膜が配置されていてもよい。
【００２８】
受光面から入射した光は、カバーガラス１９、第１封止樹脂１１ａ、第２封止樹脂１１ｂ、および図示しない反射防止膜を経由して太陽電池セル１３へ到達する。そして、太陽電池セル１３において正孔および自由電子を光電効果によって生じた結果、電極間に電圧を生じる。太陽電池モジュール１０は、複数の太陽電池セル１３において生じた電圧を合成し、当該太陽電池モジュール１０の起電圧として外部へ出力する。
【００２９】
（両面電極型太陽電池モジュールにおけるＰＩＤ発生原因の推測）
図３を用いて説明したように、太陽電池モジュール１０は、受光面より入射した光が太陽電池セル１３に到達するまでの間に、複数の部材を経由する構成となっている。このことから本発明者らは、本実施形態に係る太陽電池モジュール１０を含む両面電極型太陽電池モジュールにおいて、ＰＩＤが生じる原因を、以下のように推測した。推測した内容について、図４を用いて以下に説明する。図４は、図３に示す太陽電池モジュールにおける発電効率の低下の原因を推測した模式図である。なお、太陽電池モジュール１０は接地しているフレーム１８によって支持されており、さらにフレーム１８とカバーガラス１９が当接している構成である。また、以下の説明において、太陽電池セル１３はｐ型シリコン基板を用いて製造されたものであり、裏面側に設けられた第１電極１２ａが正電極であり、受光面側に設けられた第２電極１２ｂが負電極であるものとする。
【００３０】
太陽電池モジュール１０が発電を行うと、受光面側に設けられた第２電極１２ｂが負電極として動作する。これにより、フレーム１８に当接しているカバーガラス１９と第２電極１２ｂとの間に電界を生じる。換言すれば、接地しているフレーム１８に当接したカバーガラス１９の電位が、第２電極１２ｂの電位よりも高くなる。このとき、例えばカバーガラス１９が陽イオンを含む構成（図中ではＮａ＋）であれば、当該陽イオンが電界にしたがって移動する。具体的には、陽イオンが第１封止樹脂１１ａおよび第２封止樹脂１１ｂに析出し（図中の矢印１）、さらに第１封止樹脂１１ａおよび第２封止樹脂１１ｂと反射防止膜との間の境界面上に堆積する（図中の矢印２および３）。
【００３１】
前述の状態で太陽電池モジュール１０がさらに発電を行うと、光電効果によって発生した自由電子の一部が正電極である裏面側の第１電極１２ａではなく、境界面上に堆積した陽イオンに引き寄せられる。このような反応が内部で行われることで、両面電極型太陽電池モジュールにおいてＰＩＤが生じるものと推測される。
【００３２】
前述の推測内容に基づけば、カバーガラス１９と第２電極１２ｂとの間にＰＩＤが生じる場合とは逆方向の電界を生じさせることができれば、陽イオンが境界面上からカバーガラス１９の方向へ移動すると考えられる（図中の矢印４）。これにより、発電によって生じた自由電子が境界面上の引き寄せられることがなくなり、太陽電池モジュール１０の発電効率が回復するものと考えられる。
【００３３】
ＰＩＤが生じる場合とは逆方向の電界を生じさせるためには、第２電極１２ｂの電位をカバーガラス１９の電位よりも高くする必要がある。このとき、カバーガラス１９は、接地されているフレーム１８に当接しているので、第２電極１２ｂの電位が対地で正となるよう制御可能な回路構成とすることが好適である。
【００３４】
なお、陽イオンが反射防止膜を越えて、太陽電池セル１３内部に浸透することも考えられる（図中の矢印５）。この場合は、太陽電池セル１３自体の特性が変化すると考えられるため、その後にＰＩＤが生じる場合とは逆方向の電界を与えたとしても、反射防止膜を越えて第１封止樹脂１１ａおよび第２封止樹脂１１ｂへ陽イオンのみを戻すことは困難であると推測される。
【００３５】
（回路の構成例）
本実施形態に係る電力制御装置３０の回路の構成例について、図５を用いて説明する。図５は、電力制御装置３０の回路の構成例を示す模式図である。
【００３６】
昇圧回路１０１は非絶縁型であり、ＦＥＴ１０８とコイル１０９とダイオード１１０とを有する。ＦＥＴ１０８のドレインは正極側入力端子１３１に接続される。コイル１０９の一端は負極側入力端子１３２に接続され、他端はＦＥＴ１０８のソース及びダイオード１１０のカソードに接続される。
【００３７】
切替負荷１０５は、互いに直列に接続された抵抗１１２及びスイッチ１１３を有する。抵抗１１２のスイッチ１１３と反対側の一端は正極側入力端子１３１に接続される。スイッチ１１３の抵抗１１２と反対側の一端は昇圧回路１０１の出力端の負極側に接続される。
【００３８】
まず、太陽電池モジュール１０にて発電が行われる。発電した電力は、双方向ＰＷＭインバータ１０２などを介して系統電力網２へ出力（売電）されるか、双方向ＤＣ／ＤＣコンバータ１０４などを介して蓄電装置２０へ蓄電されるか、または売電しつつ蓄電されるか、図示しない電気機器にて消費される。
【００３９】
太陽電池モジュール１０が発電しているとき、切替制御部１０７から昇圧回路１０１へ第１の制御信号が送信され、また双方向ＰＷＭインバータ１０２へ第２の制御信号が送信され、太陽電池モジュール１０にて発電した電力を系統電力網２へ出力するように動作する場合を考える。このとき太陽電池モジュール１０の起電圧ＶＰＶは昇圧回路１０１によって図５中のＶｏｕｔに昇圧され、双方向ＰＷＭインバータ１０２の逆変換動作により、直流電力を交流に変換して系統電力網２へ出力される。ここでＶｏｕｔを３６０Ｖと仮定すると、双方向ＰＷＭインバータ１０２の逆変換動作により、昇圧回路１０１の図の右側から接続された２つの入力のうち、上側の対地電圧はＶｏｕｔ／２となり、＋１８０Ｖの直流対地電圧が印加される。一方、下側の入力には−１８０Ｖの直流対地電圧が印加される。
【００４０】
このとき、太陽電池モジュール１０の正極側には、正極側入力端子１３１を介して＋１８０Ｖの直流対地電圧が印加される。一方、太陽電池モジュール１０の負極側の対地電圧は、このときの太陽電池モジュール１０の起電圧をＶＰＶとすると、＋１８０Ｖ−ＶＰＶとなる。太陽電池モジュール１０の起電圧が１８０Ｖを上回った場合、負極側の対地電圧は負となり、このとき、図４を用いて説明したように、太陽電池モジュール１０における発電効率が徐々に低下する。
【００４１】
その後、例えば日没などの理由によって太陽電池モジュール１０が発電を行わない、または発電における起電圧が所定の電圧を下回る場合を考える。所定の電圧は、夜間や雨天などの場合に太陽電池モジュール１０に生じる起電圧に基づいて設定されることが好適である。
【００４２】
太陽電池モジュール１０が発電しないときに、切替制御部１０７から双方向ＤＣ／ＤＣコンバータ１０４へ第１の制御信号が送信され、双方向ＰＷＭインバータ１０２へ第２の制御信号が送信されて、蓄電装置２０が系統電力網２から購入した電力を蓄電するように動作する場合を考える。このとき、系統電力網２から２００Ｖの交流電圧が印加される。その後、双方向ＰＷＭインバータ１０２の順変換動作により、直流電圧に変換される。双方向ＰＷＭインバータ１０２の順変換動作は高力率化を達成するために昇圧作用を伴うことから、図５中にＶｏｕｔとして記載された電圧は、ダイオード全波整流で得られる直流電圧（２００Ｖ×√２＝２８２Ｖ）より高くなり、たとえば３６０Ｖとなる。
【００４３】
このとき、昇圧回路１０１には、図の右側から接続された２つの入力のうち、上側にはＶｏｕｔ／２として対地で＋１８０Ｖの直流電圧が印加され、下側に−１８０Ｖの直流電圧が印加される。
【００４４】
このとき、太陽電池モジュール１０の正極側には、正極側入力端子１３１を介して＋１８０Ｖの直流対地電圧が印加される。一方、太陽電池モジュール１０の負極側の対地電圧は、このときの太陽電池モジュール１０の起電圧をＶＰＶとすると、＋１８０Ｖ−ＶＰＶとなる。例えば、夜間で太陽電池モジュール１０が発電していない場合、ＶＰＶは０Ｖであるので、負極側の対地電圧は＋１８０Ｖとなる。したがって、太陽電池モジュール１０の負極の対地電位が正となり、図４を用いて説明したような理由によって、太陽電池モジュール１０の発電効率を回復させることができる。
【００４５】
また、切替制御部１０７から双方向ＰＷＭインバータ１０２へ第２の制御信号を与えない場合においても、連系リレー１０６がオン状態であれば、双方向ＰＷＭインバータ１０２の全波整流作用により、系統電力網２の電圧を整流して、太陽電池モジュール１０の正極側には＋１４１Ｖの対地電圧が印加される。夜間等で、太陽電池モジュール１０の起電圧が０Ｖ、あるいは１４１Ｖを下回っていれば、太陽電池モジュール１０の負極側の対地電圧は正となり太陽電池モジュール１０の発電効率を回復させることができる。
【００４６】
図５に示したような回路構成により、本実施形態に係る電力制御装置３０は、太陽電池モジュール１０における起電圧が所定の電圧を下回る場合は、制御信号によって当該太陽電池モジュール１０の負極側の対地電位が正となるように各部を制御できる。これにより、太陽電池モジュール１０の負極には、発電時とは逆方向の電界が対地で生じ、当該電界によって、太陽電池モジュール１０における発電効率が回復する。したがって、太陽電池モジュール１０の発電効率の低下を回復できる電力制御装置３０を提供することができるという効果を奏する。
【００４７】
前記の説明は、太陽電池モジュール１０が発電しておらず、かつ蓄電装置２０が系統電力網２から電力を購入（買電）する場合について述べたものであった。しかしながら、太陽電池モジュール１０が発電していないときに、昇圧回路１０１に図の右側から接続される２つの入力のうち、上側の入力の対地電位が正となる構成であれば、どのようなものであってもよい。
【００４８】
また、蓄電装置２０の代わりに、図５に示すような切替負荷１０５を備える構成であってもよい。太陽電池モジュール１０が発電していないとき、連系リレー１０６がオン状態で、切替負荷１０５をオンにすると、系統電力網２から購入した電力を双方向ＰＷＭインバータ１０２を介して切替負荷１０５にて消費する。このとき、前述のごとく、双方向ＰＷＭインバータ１０２の全波整流作用により、系統電力網２の電圧を整流して、太陽電池モジュール１０の正極側には＋１４１Ｖの対地電圧が印加され、太陽電池モジュール１０における発電効率を回復させることができる。
【００４９】
なお、なんらかの理由によって系統電力網２を保護する必要があるときは、連系リレー１０６をオフにする必要があるため、前述の操作によって太陽電池モジュール１０の発電効率を回復させることはできない。すなわち、切替制御部１０７は、系統電力網２を保護する必要のない場合は、切替負荷１０５を接続するための第３の制御信号と、系統電力網２との接続を継続するために連系リレー１０６をオンの状態で維持するための第４の制御信号と、を生成することが好適である。これにより、蓄電装置２０の代わりに切替負荷１０５を用いる構成であっても、太陽電池モジュール１０における発電効率を回復させることができる。また、切替負荷１０５は、切替制御部１０７の動作電力を供給するための電源回路で代替してもよい。
【００５０】
さらに、太陽光発電システム１が、蓄電装置２０と切替負荷１０５の両方を備える構成であってもよい。このとき、切替制御部１０７は、系統電力網２を保護する必要のない場合は、第４の制御信号によって系統電力網２との接続を継続し、さらに第１の制御信号および第２の制御信号によって蓄電装置２０に電力の蓄電を実行させる。これにより、電力制御装置３０は、太陽電池モジュール１０の正極および負極にかかる対地電位を、より高くすることができる。したがって、太陽電池モジュール１０の負極とカバーガラス１９との間の電界をより強くできるので、陽イオンを素早く移動させ、発電効率を早く回復させることができる。
【００５１】
また、前記の説明において、太陽電池モジュール１０の発電効率を回復させるのは、当該太陽電池モジュール１０における起電圧が所定の電圧（＝Ｖｏｕｔ／２）を下回ったときとしたが、発電効率を回復させることが可能であれば、動作の契機はどのようなものであってもよい。例えば、太陽電池モジュール１０において発電が行われない時間帯を、時刻情報、カレンダー情報、天気予報などの情報から推測し、推測した情報に基づいて太陽電池モジュール１０の発電効率を回復させるように電力制御装置３０の各部を制御してもよい。
【００５２】
太陽電池モジュール１０において発電効率が低下する度合いは、発電量の大きさや発電時間の長さなどによって異なる。したがって、発電効率を回復させるために必要な時間の長さも状況によって異なる。そのため、例えば太陽電池モジュール１０の発電効率が回復するために必要な時間の間、図５を用いて説明した動作を継続するように電力制御装置３０の各部を制御してもよい。発電効率を回復させるために必要な時間の長さは、例えば前日までの発電量や発電時間などに基づいて決定してもよい。
【００５３】
〔実施形態２〕
本発明の実施形態２について、図１および図６を用いて以下に説明する。なお、説明の便宜上、前記実施形態にて説明した部材と同じ機能を有する部材については、同じ符号を付記し、その説明を繰り返さない。
【００５４】
（太陽光発電システムの構成）
本実施形態に係る太陽光発電システム１Ａの構成は、前記実施形態１と概ね同一である。
【００５５】
（回路の構成例）
本実施形態に係る電力制御装置３０Ａの回路の構成例について、図６を用いて説明する。図６は、電力制御装置３０Ａの回路の構成例を示す模式図である。本実施形態において、電力制御装置３０Ａの回路構成は、図５を用いて示した前記実施形態１のものと基本的に同一であるが、一部構成が異なっている。昇圧回路１０１Ａは、ダイオード１１０が太陽電池モジュール１０の負極側に配置されている点は前記実施形態１の昇圧回路１０１と同一であるが、コイル１０９が太陽電池モジュール１０の正極側に配置されている点が前記実施形態１のものと異なる。
【００５６】
ここで、図５を用いて説明したときと同様に、太陽電池モジュール１０が発電しておらず、系統電力網２から購入した電力を蓄電装置２０に蓄電する場合を考える。このとき、太陽電池モジュール１０の正極側には昇圧回路１０１Ａのコイル１０９による自己誘導が生じるものの、直流的にはコイル１０９による対地電圧への影響はない。そのため、太陽電池モジュール１０の正極および負極には、対地電位が正となる共通の電圧が印加されることとなる。したがって、図６に示した回路構成であっても、太陽電池モジュール１０の発電効率を回復させることができる。
【００５７】
図６の構成では、太陽電池モジュール１０が発電して、昇圧回路１０１のＦＥＴ１０８がスイッチング動作を行っている場合、ＦＥＴ１０８がオフの時の対地電圧は前述の通り＋Ｖｏｕｔ／２−ＶＰＶとなる。このとき、太陽電池モジュール１０の起電圧ＶＰＶがＶｏｕｔ／２を下回ると、負極側に負の対地電圧が印加され、太陽電池モジュール１０の発電効率が徐々に低下する。しかしながら、ＦＥＴ１０８がオンの時は、昇圧回路１０１の出力の正極電位が直接太陽電池モジュール１０の負極に接続されるため、太陽電池モジュール１０の負極の対地電位は＋Ｖｏｕｔ／２となる。従って、電力制御装置３０が売電動作を行っている場合においても、昇圧回路１０１では、昇圧の際にＦＥＴ１０８がオンとオフを繰り返しているため太陽電池モジュール１０の発電効率の低下が進行しにくくなるという特長がある。
【００５８】
〔変形例〕
前記各実施形態において、電力制御装置３０は、例えば図示しないＨＥＭＳ（Ｈｏｍｅ  Ｅｎｅｒｇｙ  Ｍａｎａｇｅｍｅｎｔ  Ｓｙｓｔｅｍ）コントローラとの間で情報を送受信してもよい。例えば、切替制御部１０７は、ＨＥＭＳコントローラから太陽電池モジュール１０の発電量や発電時間に関する履歴情報を取得し、取得した履歴情報に基づいて、太陽電池モジュール１０の発電効率を回復させるよう各部を制御してもよい。
【００５９】
〔ソフトウェアによる実現例〕
電力制御装置３０・３０Ａの制御ブロック（特に切替制御部１０７）は、集積回路（ＩＣチップ）等に形成された論理回路（ハードウェア）によって実現してもよいし、ソフトウェアによって実現してもよい。
【００６０】
後者の場合、電力制御装置３０・３０Ａは、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６１】
〔まとめ〕
本発明の態様１に係る電力制御装置（３０・３０Ａ）は、フレーム（１８）が接地している両面電極型の太陽電池モジュール（１０）および外部の系統電力網（２）に接続され、当該太陽電池モジュールを含む太陽光発電システム（１・１Ａ）における電力の入出力を制御する電力制御装置であって、前記太陽電池モジュールの出力電圧の正極側を入力する正極側入力端子（１３１）と負極側を入力する負極側入力端子（１３２）とを有し、前記太陽電池モジュールにおける起電圧が所定の電圧を下回る場合、前記負極側入力端子の対地電位を正とするための制御信号を生成する構成である。
【００６２】
前記の構成によれば、電力制御装置は、太陽電池モジュールにおける起電圧が所定の電圧を下回る場合は、当該太陽電池モジュールの負極側の対地電位を正にする。これにより、フレームが接地している両面電極型太陽電池モジュールにおいて、発電効率の低下を抑制することができる。また、このとき太陽電池モジュールの負極には、発電時とは逆方向の電界が対地で生じ、当該電界によって、太陽電池モジュールにおける発電効率が回復する。したがって、太陽電池モジュールの発電効率の低下を回復できる電力制御装置を提供することができるという効果を奏する。
【００６３】
本発明の態様２に係る電力制御装置（３０・３０Ａ）は、前記態様１において、前記電力制御装置の制御にしたがって、電力の蓄電および放電を行う蓄電装置（２０）がさらに接続されており、前記制御信号は、前記蓄電装置における電力の蓄電および放電のいずれかを実行させる第１の制御信号と、前記蓄電装置と前記系統電力網（２）との間で生じた電圧のうち、対地電位が正である電圧を前記負極側入力端子（１３２）に印加するように前記電力制御装置が前記系統電力網に対して順変換動作および逆変換動作のいずれかを実行させる第２の制御信号と、を含んでいる構成としてもよい。
【００６４】
前記の構成によれば、電力制御装置は、蓄電装置における電力の蓄電および放電のいずれかを実行するときに、自身の負極側入力端子の対地電位を正とすることができる。これにより、例えば夜間に系統電力網から購入した買電電力を蓄電装置に蓄電するときに、太陽電池モジュールの発電効率を回復させることができる。したがって、蓄電装置を備えた太陽光発電システムにおいて、両面電極型太陽電池モジュールの発電効率を回復させることができる電力制御装置を提供できるという効果を奏する。
【００６５】
本発明の態様３に係る電力制御装置（３０・３０Ａ）は、前記態様２において、前記太陽電池モジュール（１０）の出力電圧を入力とする非絶縁型の昇圧回路（１０１）と、当該昇圧回路の出力を入力として前記系統電力網に対して順変換動作および逆変換動作のいずれかを実行する双方向インバータ回路（双方向ＰＷＭインバータ１０２）と、を備えている構成としてもよい。
【００６６】
前記の構成によれば、電力制御装置は、双方向インバータ回路を系統電力網に対して順変換動作および逆変換動作のいずれかで実行させることによって、蓄電装置と系統電力網との間で生じた電圧のうち、対地電位が正である電圧を負極側入力端子に印加することができる。
【００６７】
本発明の態様４に係る電力制御装置（３０・３０Ａ）は、前記態様２において、前記蓄電装置（２０）の出力電圧を入力として前記第１の制御信号により動作する双方向ＤＣ／ＤＣコンバータ（１０４）と、前記太陽電池モジュール（１０）の出力電圧を入力とする非絶縁型の昇圧回路（１０１）と、前記第２の制御信号により動作する双方向インバータ回路（双方向ＰＷＭインバータ１０２）と、を備えており、前記昇圧回路および前記双方向ＤＣ／ＤＣコンバータの出力端は並列接続され、前記双方向インバータ回路は、並列接続された前記出力端を直流入力とする構成としてもよい。
【００６８】
前記の構成によれば、電力制御装置は、第１の制御信号を用いた双方向ＤＣ／ＤＣコンバータの動作と、第２の制御信号を用いた双方向インバータ回路の動作によって、蓄電装置と系統電力網との間で蓄電および放電のいずれかを実行させることができる。これにより、双方向ＤＣ／ＤＣコンバータの出力端と並列接続された昇圧回路を介して、太陽電池モジュールの負極に対地電位が正である電圧を印加することができる。
【００６９】
本発明の態様５に係る電力制御装置（３０・３０Ａ）は、前記態様３または４において、前記昇圧回路（１０１）は正極側の入力端子と出力端子との間が、直流的かつ双方向に短絡状態となる回路構成である構成としてもよい。
【００７０】
前記の構成によれば、電力制御装置は、昇圧回路において正極側を短絡状態とすることができる。これにより太陽電池モジュールの負極側を、昇圧回路の負極の出力側と電気的に切り離して、正極に対地電位が正である電圧を印加することができる。したがって、昇圧回路の動作によって太陽電池モジュールの発電効率の低下を回復できる電力制御装置を提供することができる。
【００７１】
本発明の態様６に係る電力制御装置（３０・３０Ａ）は、前記態様１から５のいずれかにおいて、前記太陽電池モジュール（１０）において発電が行われない時間帯に関する情報に基づいて前記制御信号を生成する構成としてもよい。
【００７２】
前記の構成によれば、電力制御装置は、太陽電池モジュールにおいて発電が行われない時間帯に、負極側入力端子の対地電位を正とすることができる。これにより、例えば夜間といった太陽電池モジュールによる発電が行われない時間帯に太陽電池モジュールにおける発電効率の低下を回復させることができる。
【００７３】
本発明の態様７に係る電力制御装置（３０・３０Ａ）は、前記態様１から６のいずれかにおいて、前記太陽電池モジュール（１０）の発電効率が回復するために必要な時間の間、前記負極側入力端子（１３２）の対地電位が正となるように前記制御信号を生成する構成としてもよい。
【００７４】
前記の構成によれば、電力制御装置は、発電効率が低下する度合いに応じて太陽電池モジュールの発電効率を回復させることができる。
【００７５】
本発明の態様８に係る電力制御装置（３０・３０Ａ）は、前記態様１において、前記太陽電池モジュール（１０）の出力電圧を入力とする非絶縁型の昇圧回路（１０１）と、当該昇圧回路の出力の正極と負極との間に接続され、前記制御信号によって接続の有無を切り替え可能な切替負荷（１０５）をさらに備えており、前記系統電力網（２）に対して、連系保護による解列を必要としない場合は、前記切替負荷を接続するための第３の制御信号と、前記系統電力網との接続を継続するための第４の制御信号と、を生成する構成としてもよい。
【００７６】
前記の構成によれば、電力制御装置は、連系保護による解列を必要としない場合は切替負荷を接続し、さらに当該系統電力網との間の接続を維持する。これにより、例えば夜間のような太陽電池モジュールが発電を行わない場合に、切替負荷への電力供給において双方向インバータ回路による全波整流で生じた電圧により、負極側入力端子の対地電位を正とすることができる。したがって、太陽電池モジュールが発電を行わないときに、当該太陽電池モジュールの発電効率を回復させることができる。
【００７７】
本発明の態様９に係る電力制御装置（３０・３０Ａ）は、前記態様８において、前記電力制御装置の制御にしたがって、電力の蓄電および放電を行う蓄電装置（２０）がさらに接続されている構成としてもよい。
【００７８】
前記の構成によれば、電力制御装置は、蓄電装置が接続されている構成において、系統電力網に対して、連系保護による解列を必要としない場合は切替負荷を接続し、さらに当該系統電力網との間の接続を維持する。これにより、太陽電池モジュールが発電を行わないときに、当該太陽電池モジュールの発電効率を回復させることができる。
【００７９】
本発明の態様１０に係る電力制御装置（３０・３０Ａ）は、前記態様９において、前記系統電力網（２）に対して、連系保護による解列を必要としない場合は、前記第４の制御信号によって前記系統電力網との接続を継続し、さらに、前記蓄電装置（２０）における電力の蓄電および放電のいずれかを実行させる第１の制御信号と、前記蓄電装置と前記系統電力網との間で生じた電圧のうち、対地電位が正である電圧を前記負極側入力端子（１３２）に印加するように前記電力制御装置が前記系統電力網に対して順変換動作および逆変換動作のいずれかを実行させる第２の制御信号によって前記蓄電装置に電力の蓄電を実行させるようにして前記太陽電池モジュール（１０）の負極側の対地電位が正となるようにする構成としてもよい。
【００８０】
前記の構成によれば、電力制御装置は、蓄電装置の蓄電動作において、負極側入力端子の対地電位をより高くすることができる。これにより、太陽電池モジュールの発電効率をより早く回復させることができる。
【００８１】
本発明の態様１１に係る太陽光発電システム（１・１Ａ）は、フレーム（１８）が接地している両面電極型の太陽電池モジュール（１０）と、前記態様１から１０のいずれかにおける電力制御装置（３０・３０Ａ）と、を備えている構成としてもよい。前記の構成によれば、前記態様１と同様の作用効果を奏する。
【００８２】
本発明の各態様に係る電力制御装置（３０・３０Ａ）は、コンピュータによって実現してもよく、この場合には、コンピュータを前記電力制御装置が備える各部（ソフトウェア要素）として動作させることにより前記電力制御装置をコンピュータにて実現させる電力制御装置の制御プログラム、およびそれを記録したコンピュータ読み取り可能な記録媒体も、本発明の範疇に入る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１、１Ａ  太陽光発電システム
２  系統電力網
１０  太陽電池モジュール
１１ａ  第１封止樹脂
１１ｂ  第２封止樹脂
１２ａ  第１電極
１２ｂ  第２電極
１３  太陽電池セル
１４ａ  第１電極バスバー
１４ｂ  第２電極バスバー
１５  裏面保護シート
１６  インナーコネクタ
１７  出力端子
１８  フレーム（外枠）
１９  カバーガラス
２０  蓄電装置
３０、３０Ａ  電力制御装置
１０１  昇圧回路
１０２  双方向ＰＷＭインバータ（双方向インバータ回路）
１０３  交流リアクトル
１０４  双方向ＤＣ／ＤＣコンバータ
１０５、１０５Ａ  切替負荷
１０６  連系リレー
１０７  切替制御部（コントローラ）
１０８  ＦＥＴ
１０９  コイル
１１０  ダイオード
１３１  正極側入力端子
１３２  負極側入力端子
【図１】
2019122092.tif 000003
【図２】
2019122092.tif 000004
【図３】
2019122092.tif 000005
【図４】
2019122092.tif 000006
【図５】
2019122092.tif 000007
【図６】
2019122092.tif 000008